(57)【要約】【課題】手袋表面に配設したベルトの巻き回しと巻き締めによって手首の返しを習得・実践させる運動用手袋において、ベルトを手の掌面側に位置させることなく効果を確保できる運動用手袋を提供すること。【解決手段】手袋表面の第５中手骨骨底部照応位置近傍にベルトを取付固定すると共に第２中手骨骨頭部照応位置近傍にベルトの挿通具を付設し、このベルトを取付固定した始端部から手袋表面の甲面側に沿って挿通具付設位置まで巻き回すと共に、挿通具を介して始端部方向へ巻き返し、巻き締めた上で始端部近傍位置に止着するよう構成してなる運動用手袋。【選択図】図１
2011106040.tif 000002
【特許請求の範囲】
【請求項１】
少なくとも手の甲面と掌面に装着できる手袋基体と該手袋基体の表面に配設されたベルトとを有してなる運動用手袋であって、前記手袋基体表面の第５中手骨骨底部照応位置の近傍に前記ベルトの一端側が固定可能に取り付けられてなると共に、前記手袋基体表面の第２中手骨骨頭部照応位置の近傍に前記ベルトの挿通具が付設されてなり、前記ベルトが前記手袋基体表面の第５中手骨骨底部照応位置の近傍から第２中手骨骨頭部照応位置の近傍に至る甲面側の領域に巻き回すと共に前記挿通具を介して再び前記第５中手骨骨底部照応位置の近傍まで巻き返すに足る長さを有してなること、を特徴とする運動用手袋。
【請求項２】
前記手袋基体がその表面の第５中手骨骨底部照応位置近傍から第２中手骨骨頭部照応位置近傍に至る甲面側の領域に弾性率の低い硬質素材からなる補強部を有してなること、を特徴とする請求項１に記載の運動用手袋。
【請求項３】
前記ベルトにおいて、前記手袋基体表面の第５中手骨骨底部照応位置の近傍に取り付けられた一端側から前記第２中手骨骨頭部照応位置の近傍まで巻き回す部分が、弾性率の低い硬質素材によって構成されてなること、を特徴とする請求項１または請求項２に記載の運動用手袋。
【請求項４】
前記ベルトがその開放終端側に延長部を備えてなり、該延長部が前記手袋基体表面の第５中手骨骨底部照応位置の近傍から手首部の腹側を経て手首部外周を巻き回し前記第５中手骨骨底部照応位置の近傍で止着するに足る長さを有してなることを、を特徴とする請求項１から請求項３のいずれかに記載の運動用手袋。
【発明の詳細な説明】
【技術分野】
【０００１】
本発明は、運動用手袋、さらに詳しくは、手袋に配設されたベルトを手袋の表面側から巻き回し巻き締めることにより手首を返す正しい運動動作を支持・補助・誘導してその効率的な習得と効果的な実践を図る運動用手袋に関する。
【背景技術】
【０００２】
ゴルフ、テニス、野球など各種スポーツにおいて、「手首の返し」と呼ばれる手首の運動動作が競技力を支え競技成績を左右する重要な要素であることは周知のところであるが、この「手首の返し」が日常の生活行動を通して体得される一般的な動作でもなく、意識的コントロールが容易な利き手の動作でもないことから、その習得と実践には大きな困難が伴っており、特にスポーツに関する豊かな知識や恵まれた練習環境を持たないスポーツ愛好者一般にとっては、スポーツを楽しむ上でも技量を向上させる上でも、乗り越え難い壁になってしまっている。
【０００３】
ここで、「手首の返し」と呼ばれる運動動作について具体的に見ると、図６に示す通り、前腕を構成する橈骨４１並びに尺骨４５と手を構成する５本の中手骨４７が手根骨４２を介して形成する手関節の運動動作であり、このため、その良好で円滑な運動動作は前腕動作と手関節動作双方の複雑でタイミングの良い連動ないし協動がなければ成立しない関係にあることが分かる。
【０００４】
さらに、ゴルフクラブのスイングを例にとって手首の運動動作を仔細に観察すると（右利きの場合に左手首が示す正しい運動動作）、クラブの振り出すトップ位置からインパクトまでは、手関節を伸ばしながら第１指側の前腕橈骨４１方向へ傾屈する伸展・橈屈で、前腕の回旋は抑制されているが、インパクトからフォロースルーにかけては、手関節を軽く伸ばしながら第５指側である前腕尺骨４５方向へ傾屈する軽度伸展・尺屈へと転じ、前腕も手首を軸として手を第１指方向甲側へ捻る顕著な回外動作を示しており、このインパクト時から示される左手首の運動動作（前腕の回外動作と橈屈した手関節を尺屈させる動作のタイミングの良い円滑な連動ないし協動）が「手首の返し」に当たる。
【０００５】
上記の通り、この「手首の返し」は正しい運動動作と適切なタイミングの習得と実践が困難なため、指導や練習の場で種々の工夫や試みが重ねられてきたが、特許文献における従来技術は殆ど見ることができず、実効性のある優れた従来提案としては僅かに特開２００９−１６７５５８号公報を見出し得るに止まる。
【０００６】
当該従来例は、「手首の返し」の運動動作を具体的に分析・検討した上で、これが前腕の回外動作と手関節の尺屈動作の複合にかかることを正しく指摘し、その効果的な習得と効率的な実践のためには外部から手首に正しい運動動作の方向と形を与え、その外力の支持・補助・誘導の下に正しい運動動作を反復して体得することが最も効果的であるとすると共に、一般愛好者も含めスポーツに勤しむ人々がこのような正しい運動動作の支持・補助・誘導を容易且つ廉価に受けることを可能にする手段として表面にベルトを取り付けた運動用手袋を挙げ、かかる運動用手袋を装着してベルトを手袋表面から所定方向・所定位置に巻き回し巻き締めて止着すれば手首に方向性のある力を継続的に与えることができ、この方向性ある持続的な力を利用して手首の正しい運動動作を支持・補助・誘導して反復させれば、困難な「手首の返し」を効率的に習得させ効果的に実戦させることが可能であるとしている。
【０００７】
当該従来例が提案する運動用手袋は、基本的に、前腕の回外動作を支持・補助・誘導するベルト機能部分（以下、第１ベルトと呼ぶ）と手関節の尺屈動作を支持・補助・誘導するベルト機能部分（以下、第２ベルトと呼ぶ）とを手袋表面に取付固定してなるもので、第１ベルトは、手首表面の橈骨茎状突起４３の隆起部照応位置付近を始端部として取付固定し、手袋表面の背側を腕尺関節列隙部４４の照応位置まで巻き回すと共に腹側へ廻して手首外周を巻き回し、ベルトを引いて巻き締めた上でベルト終端を始端部位置付近に止着するものとしており、巻き締めたベルトを始端部位置に止着し前腕手首部に巻き締め方向の力を与えることで、その回外動作を支持・補助・誘導する。（上記文中の符号は、図６に基づいて本願人が付記したものである。）
【０００８】
他方の第２ベルトは、手首表面の腕尺関節列隙部４４の照応位置付近を始端部として取付固定してなるもので、手袋表面の掌面に沿って第１指と第２指の股部まで巻き上げると共に該位置から手袋表面の甲面側へ引き出して巻き下ろし、ベルトを引いて巻き締めた上でベルト終端を始端部位置付近に止着するものとしており、巻き締めたベルトを始端部位置に止着し手に巻き締め方向の力を与えることで、手関節の尺屈動作と前腕回外動作が与えるべき手を第１指方向甲側へ捻るような回旋動作を支持・補助・誘導する。（上記文中の符号も、図６に基づいて本願人が付記したものである。）
【０００９】
従来例に係る運動用手袋の基本的な構成は上記の通りで、手袋表面から巻き回したベルトを巻き締め始端部位置で止着することにより手首に方向性のある力を継続的に与えられる点、その力の方向を手首のあるべき運動動作方向と一致させることにより正しい運動動作の持続的な支持・補助・誘導を可能にする点で傾聴に値すると共に、本発明者も追試実験でその効果の一端を体感しており、困難であるとされた「手首の返し」の習得と実践の克服に新たな可能性を拓くものであることは認められるが、その容易な利用と普及を阻む大きな問題が残されていることも否定できない。
【００１０】
その問題とは、上記第２ベルトの構成にある。即ち、従来例の第２ベルトは、第１指と第２指の股部を介して手袋表面の掌側から甲側へベルトを巻き廻している結果、手袋を装着した手の掌面上にベルトが位置することを避けられず、また、第１指と第２指の股部はベルトを挟んだ状態に置かざるを得ない。
【００１１】
しかしながら、誰もが日常的に経験するように、手の掌面に位置する異物の存在はモノや道具を握持または保持すべき手の機能に対する支障に他ならず、しかも、握持・保持動作における主要肉体部位となる第１指と第２指の股部に夾雑物がある時、その支障はより大きなものとならざるを得ず、現実的支障がもたらされない場合にも装着者に対して大きな抵抗感と不安感を抱かせると考えるのが自然である。
【００１２】
例えば、最も参加人口の多いスポーツの一つであるゴルフの場合、性別を問わず、年齢も幅広く、体力も運動能力もスポーツ履歴も多岐に亘る多数の参加者・愛好者を考えれば、手袋表面の掌面側に位置し第１指と第２指の股部に挟在するベルトによって、ゴルフクラブなどの握持・保持に現実の支障を来す少なからぬプレイヤーの存在を予想しなければならず、さらには一般愛好者（特に、初級者・年少者・高齢者）を中心に多数のプレイヤーが強い抵抗感や不安感を抱くものと考えなければならない。
【００１３】
この種の支障、抵抗、不安が発明実施の途を狭め商品としての市場性を大きく制約することは言うまでもないところであり、特に従来例に係る運動用手袋が正しい運動動作の支持・補助・誘導により「手首の返し」の容易で廉価な習得を求める一般愛好者を主対象とすることを考える時、手袋表面の掌面側に位置すると共に第１指と第２指の股部に挟在する第２ベルトの存在は、本来の対象者の利用と普及を阻む重大な問題であると考えざるを得ない。
【００１４】
このように、従来例の運動用手袋における第２ベルトの在り方はそれ自体で大きな問題と言えるが、さらに問題を大きくしているのは、この問題が容易な解決を許さないところにある。
【００１５】
なぜならば、既に説明した通り、従来例の運動用手袋における第２ベルトは、その巻き締めによって手関節を容易に尺屈させ手を第１指方向甲側へと捻るように回旋させるが、この動きは前腕の正しい回外動作が行われた場合に得られる手首の運動動作に他ならず、第２ベルトは前腕の良好な回外動作が結果として与える手首の運動動作を支持・補助・誘導し、これによって「手首の返し」において最も重要であるとされる前腕の正しい回外動作を促して第１ベルトによる支持・補助・誘導を容易にするという極めて重要な役割を果たしているからである。
【００１６】
したがって、第２ベルトが手の掌面に位置し第１指と第２指の股部に挟在することを嫌ってこれを除き、橈骨茎状突起４３の隆起部を始端部として手首外周を巻き回す第１ベルトだけに依存して前腕の回外動作を支持・補助・誘導しようとしても、その効果は大きく減じてしまいさらには失われる恐れさえある。
【００１７】
さらに、第２ベルトの機能を残しながら、ベルトが手の掌面側に位置することを避けようと図り、第１指と第２指の股部照応位置の近傍（例えば、第２中手骨骨頭部４７ｂ照応位置）を始端部固定位置とするベルトを腕尺関節列隙部４４方向へ巻き下ろし巻き締めて止着しても、ベルトの始端部固定位置と止着位置が異なるため、ベルトの始端部が巻き締めによる力で腕尺関節列隙部４４方向へ引かれてずれてしまう上に、手袋表面に大きな撓みや変形が生じることを避けられず、ベルトが手首に与える力と方向が大きく低減もしくは消失することとなり、手首の正しい運動動作を良好に支持・補助・誘導する効果は到底期待できない。（図７ｂ）
【先行技術文献】
【特許文献】
【００１８】
【特許文献１】特開２００９−１６７５５８号公報
【発明の概要】
【発明が解決しようとする課題】
【００１９】
本発明の課題は、上記した困難を克服し、手袋表面にベルトを巻き回し巻き締めて止着することにより手首の運動動作の習得と実践を図る運動用手袋にあって、ベルトを手の掌面側に位置させないと共に、ベルトによる正しい運動動作の支持・補助・誘導を低減も消失もさせず、誰もが支障や抵抗を感ずることなく容易且つ簡便に装着利用できる運動用手袋を提供するところにある。
【課題を解決するための手段】
【００２０】
請求項１の発明は、少なくとも手の甲面と掌面に装着できる手袋基体と該手袋基体の表面に配設されたベルトとを有してなる運動用手袋であって、前記手袋基体表面の第５中手骨骨底部照応位置の近傍に前記ベルトの一端側が固定可能に取り付けられてなると共に、前記手袋基体表面の第２中手骨骨頭部照応位置の近傍に前記ベルトの挿通具が付設されてなり、前記ベルトが前記手袋基体表面の第５中手骨骨底部照応位置の近傍から第２中手骨骨頭部照応位置の近傍に至る甲面側の領域に巻き回すと共に前記挿通具を介して再び前記第５中手骨骨底部照応位置の近傍まで巻き返すに足る長さを有してなること、を特徴とする運動用手袋である。
【００２１】
請求項２の発明は、前記手袋基体がその表面の第５中手骨骨底部照応位置近傍から第２中手骨骨頭部照応位置近傍に至る甲面側の領域に弾性率の低い硬質素材からなる補強部を有してなること、を特徴とする請求項１に記載の運動用手袋である。
【００２２】
請求項３の発明は、前記ベルトにおいて、前記手袋基体表面の第５中手骨骨底部照応位置の近傍に取り付けられた一端側から前記第２中手骨骨頭部照応位置の近傍まで巻き回す部分が、弾性率の低い硬質素材によって構成されてなること、を特徴とする請求項１または請求項２に記載の運動用手袋である。
【００２３】
請求項４の発明は、前記ベルトがその開放終端側に延長部を備えてなり、該延長部が前記手袋基体表面の第５中手骨骨底部照応位置の近傍から手首部の腹側を経て手首部外周を巻き回し前記第５中手骨骨底部照応位置の近傍で止着するに足る長さを有してなることを、を特徴とする請求項１から請求項３のいずれかに記載の運動用手袋である。
【発明の効果】
【００２４】
以上のように、本発明によれば、手袋表面の第５中手骨骨底部照応位置近傍（腕尺関節列隙部照応位置のやや上部）を始端部とするベルトを第２中手骨骨頭部照応位置近傍（第１指と第２指の股部照応位置近傍）まで巻き回した上で挿通具を介して始端部まで巻き返し始端部位置で巻き締めて止着するよう構成しているので、手の掌面にベルトが位置しない一方、手関節の正しい運動動作を支持・補助・誘導する機能も低減ないし消失させておらず、誰もが支障や抵抗を来すことなく容易に装着利用可能な運動用手袋を実現し提供することができる。
【図面の簡単な説明】
【００２５】
【図１】本発明に係る運動用手袋の一例を示す正面図である。（実施例１）
【図２】本発明に係る運動用手袋の手袋基体表面に取付固定したベルトの巻き回し過程の一例を示す正面図である。（実施例１）
【図３】本発明に係る運動用手袋の手袋基体表面に取付固定したベルトの巻き回し過程の一例を示す正面図である。（実施例１）
【図４】本発明に係る運動用手袋の手袋基体表面に取付固定したベルトの巻き回し過程の一例を示す正面図である。（実施例１）
【図５】本発明に係る運動用手袋の手袋基体表面に取付固定するベルトの一例を示す正面図並びに背面図である。（実施例１）
【図６】人間の左手の骨格構造を模式的に示す正面図並びに背面図である。
【図７】ベルトの巻き締め状態を模式的に示す正面図である。
【発明を実施するための形態】
【００２６】
手の掌面側にベルトを位置させず、しかもベルトの巻き回し巻き締めによって手関節の正しい運動動作を良好に支持・補助・誘導する機能も確保するという目的を、最小の部材点数で、特段のコスト上昇を伴わずに実現した。
【実施例１】
【００２７】
図１は本発明をゴルフ用手袋に実施した一例を示すもので、手袋１は、ゴルフ用手袋の一般と同様に、手の甲面と掌面を収容して覆う手袋基体１１と、第１指ないし第５指を収容する指袋１３と、装着ベルト１５を備えた手首部１２とからなっており、手袋基体１１の甲面上で第５中手骨に照応する適宜位置から手首部１２にかけて、手袋１の装着時に開披して装着を容易にするスリット１４が設けられ、手首部１２表面の腕尺関節列隙部照応位置近傍には係着片３が縫着されている。
【００２８】
また、手袋基体１１表面甲面側の第５中手骨骨底部４７ａ照応位置（腕尺関節列隙部照応位置のやや上部位置）には、手袋表面に巻き回し巻き締めて手首の正しい運動動作を支持・補助・誘導するためのベルト２をその一端側で取付固定しており、本実施例ではスリット１４の尺骨４５方向端縁部に縫着した。
【００２９】
同様に、手袋基体１１表面甲面側の第２中手骨骨頭部４７ｂ照応位置（親指と人差し指の股部照応位置の近傍）には、ベルト２を挿通するに適した開口を有する挿通具が設けられており、本実施例では環４をその開口に通した布片で回動自在に縫着した。
【００３０】
さらに、手袋基体１１表面甲面側のベルト取付固定位置から環４付設位置に亘る領域に弾性率の低い硬質素材からなる適幅の補強材５を縫着し、手の動きや外力による撓みや変形が生じにくい補強部を形成している。
【００３１】
他方、ベルト基体１１表面にその一端側を取付固定されるベルト２は、少なくとも、始端部の取付固定位置（第５中手骨骨底部４７ａ照応位置）から環４の付設位置（第２中手骨骨頭部４７ｂ照応位置）まで巻き回し、環４に挿通した上で再び始端部取付固定位置（第５中手骨骨底部４７ａ照応位置）まで巻き返すに足る長さを必要とするが、本実施例のベルト２では、その開放終端側に、第５中手骨骨底部４７ａ照応位置から手首の腹側を通して同位置まで手首外周を巻き回すに足る長さを有する延長部２２ｃを与え、１本の長尺なベルトとして構成した。（図５）
【００３２】
さらに、本実施例に係るベルト２では、始端部固定位置から環４付設位置に亘って巻き回す巻き回し部２２ａに弾性率の低い硬質素材を用いる一方、環４付設位置から始端部固定位置に亘って巻き戻す巻き返し部２２ｂと延長部２２ｃには弾性率の高い伸縮素材を用い、ベルト２表面側（ベルト２を始端部固定位置から手袋基体１１表面の甲面側環４付設位置方向へ載置した際の表側）の開放終端縁と裏面側の長手方向略中央位置（巻き返し部２２ｂと延長部２２ｃに亘る位置）に係着片３を設けている。（図５）
【００３３】
本実施例に係る運動用手袋は以上の構成を有してなるものであって、その装着に際しては、ベルト２の巻き回し部２２ａを始端部である取付固定位置から環４の付設位置まで巻き回して終端側を環４の開口に通し、環４に通したベルト２を折り返してベルト２の巻き返し部２２ｂを再び取付固定位置まで巻き戻して巻き締めると共に、巻き返したベルト２の延長部２２ｃを手首腹側に回して手首外周を巻き回し、終端側から引いて巻き締めた上でベルト２の表裏面と手首部１２の表面に設けた係着片３，３、３によって始端部である取付固定位置の近傍にしっかりと係止する。
【００３４】
本実施例に係る運動用手袋は以上のように装着してベルト２を巻き回し巻き締め止着するものであり、始端部である第５中手骨骨底部照応位置近傍から巻き回し第２中手骨骨頭部照応位置近傍に設けた環４を介して巻き返し巻き締めたベルト２が巻き返し位置の環４を強く始端部方向へ引く構成を採っているが、この力によって環４の位置が大きくずれ、或いは、始端部から環４付設位置に亘る手袋基体１１表面の領域に撓みや変形を生じるなどして、手関節の運動動作を支持・補助・誘導するベルト２の力と方向が低減したり消失するところはないので、この点に付き詳細に説明する。
【００３５】
既に従来技術に関する説明で指摘したように、前腕の腕尺関節列隙部（第５中手骨骨底部近傍）を始端部とするベルトを手の掌面側に巻き上げて第１指と第２指の股を通して手の甲面側に巻き下ろし始端部まで巻き締めて止着する従来例の第２ベルトに対して、ベルト始端部を第２中手骨骨頭部照応位置（第１指と第２指の股部近傍）とし第５中手骨骨底部照応位置（腕尺関節列隙部近傍）まで巻き下ろし巻き締めて止着した場合には、巻き締めの力によってベルト始端部が終端方向へ引かれて大きくずれ、或いはベルト始端部から終端部に亘る手袋基体表面領域の大きな撓みや変形を避けることができず、このズレ・撓み・変形がベルトから手首に与える力と方向を奪ってしまい、手首の正しい運動動作を支持・補助・誘導することはできない。
【００３６】
しかしながら、本発明によれば、始端部の取付固定位置から環４付設位置に巻き回したベルト２が環４を介して巻き返されている結果、巻き回し部２２ａと巻き返し部２２ｂが重合位置し、内側に位置する巻き回し部２２ａによって手袋基体１１表面が手の甲面に強く押し付けられており、これによって環４の付設位置（巻き返し位置）やベルト始端部が大きくずれたり手袋基体１１表面に大きな撓みや変形が生じる恐れが効果的に抑制されているので、ベルト２から手首に与えられる力と方向が低減ないし消失するところはなく、手関節を尺屈させ手を第１指方向甲側へ捻るように回旋させる正しい運動動作の支持・補助・誘導を良好に持続させることができる。
【００３７】
併せて付言するならば、ベルト２の巻き返し位置（第２中手骨骨頭部照応位置）に環４を用いた結果、巻き回し部２２ａと巻き返し部２２ｂの重合状態が巻き締める力に応じて自然に微調整されるので、巻き締める力の如何によって巻き回し部２２ａの手袋基体１１表面に対する押接が弛むなど、手袋基体１１表面を手の甲面に押し付ける力が大きく変化する恐れもない。
【００３８】
さらに、本実施例では、手袋基体１１表面甲面側のベルト取付固定位置から環４付設位置に亘る領域に弾性率の低い硬質素材からなる適幅の補強材５を縫着すると共に、ベルト２の始端部固定位置から環４付設位置に亘る巻き回し部２２ａに同様に弾性率の低い硬質素材を用いているから、ベルト２を巻き回し巻き返し巻き締めた際に巻き回し部２２ａが当接する手袋基体１１表面を手の甲面に強く押し付け、ベルト２の巻き返し位置（環４付設位置）や始端部のズレ並びに手袋基体１表面の撓みや変形に抗って抑制する力がより強く安定的に保持されており、ベルト２が手首に与える力と方向を失う恐れは殆ど考えられない。
【００３９】
また、本実施例のベルト２に設けた延長部２２ｃは本発明の実施に必須のものではないが、この延長部２２ｃを手首外周に巻き回し巻き締めて止着することで、「手首の返し」において最も重要な前腕の回外動作はより効果的に支持・補助・誘導される関係にある。
【００４０】
即ち、従来技術の説明で触れた通り、従来例では橈骨茎状突起４３の隆起部照応位置近傍を始端部として取付固定したベルトを腕尺関節列隙部４４の照応位置近傍を経て手首の甲側から腹側へ亘る手首外周に巻き回し巻き締め始端部近傍で止着することによって前腕の正しい回外運動を支持・補助・誘導する方向性のある持続的な力を手首に与えることができるとしており、本発明者も追試実験でこれを体感確認したが、同時に、ベルトが橈骨茎状突起の隆起部照応位置近傍と腕尺関節列隙部の照応位置近傍に巻き回されている限り、ベルトを時計回り方向に引いて巻き締めれば、ベルト始端部固定位置の如何に関わらず、前腕の正しい回外動作を支持・補助・誘導する方向性ある一定以上の力が持続的に得られることも確認した。（図７ａ）
【００４１】
本実施例におけるベルト２の延長部２２ｃは、ベルト２全体の始端部でもある第５中手骨骨底部照応位置（腕尺関節列隙部照応位置のやや上部）を始端部とし、手首腹側から背側に亘って手首外周を巻き回し巻き締めているが、従来例が言う橈骨茎状突起の隆起部照応位置近傍と腕尺関節列隙部の照応位置近傍の２点を通して巻き回され、同一始端部位置（腕尺関節列隙部照応位置近傍である第５中手骨骨底部照応位置）で止着されているため、従来例同様に前腕の正しい回外動作を支持・補助・誘導する方向性ある持続的な力が生まれており、手関節の正しい運動動作（手関節の尺屈と手の甲側第１指方向への回旋）を支持・補助・誘導するベルト２の巻き回し部２２ａ並びに巻き返し部２２ｂが手関節に与える方向性ある力と相俟って、「手首の返し」を効率的に習得させ効果的に実践させる優れた効果を奏している。
【００４２】
なお、本実施例では、最適実施例として、ベルト２の始端部固定位置から環４付設位置に亘る巻き回し部２２ａが弾性率の低い硬質素材からなり、環４付設位置から始端部固定位置に亘る巻き返し部２２ｂと手首外周に巻き回す延長部２２ｃとが弾性率の高い伸縮素材からなるベルト２を採用したが、ベルト２の全体を伸縮素材で形成した場合にも巻き回し部２２ａと巻き返し部２２ｂの重合によって巻き回し部２２ａが手袋基体１１を手の甲面に押し付ける力が大きく低減することはなく、ベルト２によって手首に与えられる方向性のある力が解消ないし消失して正しい運動動作の支持・補助・誘導が失われる恐れはないから、任意に選択し得る全ての素材からなるベルトが本発明の範囲に含まれることは言うまでもないところである。
【００４３】
また、本実施例のベルト２から延長部２２ｃを除いた場合にも、巻き回し部２２ａと巻き返し部２２ｂが手関節を尺屈させ手を甲側第１指方向へ捻るように回旋させる運動動作（前腕の正しい回外動作がなされた場合に手関節が示す運動動作）を支持・補助・誘導するので、手首外周には他の任意の手段・方法を講じることで「手首の返し」の習得と実践を効果的に助けることができ、或いは手首外周に何らの手段・方法を講じない場合でも一定以上の効果を確保することができるから、いずれも本発明の範囲に含まれる。
【００４４】
ここで、延長部２２ｃを有する本実施例のベルト２では、手首外周を巻き回し巻き締めた延長部２２ｃの終端部を係着片３，３により始端部近傍に係止することで巻き返し部２２ｂの終端位置も始端部近傍に止着されているが、延長部２２ｃを持たないベルトを用いる場合には、始端部位置と巻き返し部２２ｂ終端の双方に係着片などを設けて係止し、安定的に止着する必要があることは言うまでもないところである。
【００４５】
さらに、本実施例では手袋基体１１表面甲面側のベルト取付固定位置から環４付設位置に亘る領域に弾性率の低い硬質素材からなる補強材５を縫着して補強部を形成し、ベルト２が手首に与える力と方向を持続的に保持する効果を高めたが、異なる他の公知な方法で同様の硬質な補強部を形成することは可能であり、補強部を形成しない場合にも巻き回し部２２ａによって手袋基体１１が手の甲面に押し付ける力が大きく低減し、手首の正しい運動動作を支持・補助・誘導する本発明の効果が失われる訳ではないから、同様にいずれも本発明の範囲に属する。
【００４６】
併せて付言するに、本実施例においては、手袋基体１１表面甲面側の第２中手骨骨頭部照応位置に付設すべきベルトの挿通具として環４を用いたが、巻き回したベルト２を終端側から挿通し巻き返すことができるあらゆる挿通具を任意に選択して用い得ることも、言を待たないところである。
【符号の説明】
【００４７】
１  手袋
２  ベルト
３  係着片
４  環
５  補強材
１１  手袋基体
１２  手首部
１３  指袋
１４  スリット
１５  装着ベルト
２２ａ  巻き回し部
２２ｂ  巻き返し部
２２ｃ  延長部
４１  橈骨
４２  手根骨
４３  橈骨茎状突起
４４  腕尺関節列隙部
４５  尺骨
４７  中手骨
４７ａ  第５中手骨骨底部
４７ｂ  第２中手骨骨頭部
【図１】
2011106040.tif 000003
【図２】
2011106040.tif 000004
【図３】
2011106040.tif 000005
【図４】
2011106040.tif 000006
【図５】
2011106040.tif 000007
【図６】
2011106040.tif 000008
【図７】
2011106040.tif 000009